(57)【要約】【課題】電気集塵装置の水洗浄後において、風路外の充電に必要な部分の乾燥を早めて全体の乾燥時間を短縮する。【解決手段】洗浄と乾燥を行う電気集塵装置１に対して、箱状の本体２の第二側面組４に帯電部の絶縁体窓２９と集塵部の絶縁体窓３０を備えて乾燥時のみ開放することで、上流から流入した乾燥風は直線状に通過する風に加え、帯電部の絶縁体２３や集塵部の絶縁体２８を通って帯電部の絶縁体窓２９と集塵部の絶縁体窓３０に抜ける風が生じ集塵に必要な部分の乾燥が急速で完了することで、乾燥時間が著しく短くなり、すぐに集塵が再開できる。【選択図】図４
2016155056.tif 000002
【特許請求の範囲】
【請求項１】
箱状の本体と、この本体の対向する側面の組２つをそれぞれ第一側面組と第二側面組とし、前記第一側面組の側面にそれぞれ設けた開口と、前記開口にそれぞれ接続するダクトから構成され、前記本体の内部には、水平方向に空気が通過する風路の上流側から下流側へと帯電部と集塵部とを順番に配置し、前記帯電部は、放電電極と接地電極が交互に一定の間隔を設けて積層され、それぞれ上下複数点を支持棒で支えられており、前記放電電極の支持棒を前記接地電極と導通しないように前記風路から前記第二側面組の側面側に外れた箇所で絶縁物体により支持し、前記集塵部は、荷電極板と集塵電極板が交互に一定の間隔を設けて積層され、それぞれ上下複数点を支持棒で支えられており、前記荷電極板の支持棒を前記集塵電極板と導通しないように前記風路から前記第二側面組の側面側に外れた箇所で絶縁体により支持し、前記本体の内部上方には前記帯電部と前記集塵部を洗浄する洗浄手段を配置し、本体の内部下方には前記洗浄手段からの廃液を処理する排水手段を配置した電気集塵装置であり、前記本体の前記第二側面組の側面にはそれぞれ前記絶縁体に対向する位置に前記絶縁体よりも大きな開口を有する窓を設け、前記窓よりも大きな平板でこの窓に蓋ができるようにし、前記窓の上下にはレールをつけ前記平板を可動式として前記窓の開閉が可能とする構成を備えた電気集塵装置。
【請求項２】
前記下方の支持棒を支える絶縁体に対向する窓は下辺が少なくとも前記ダクトの底面よりも垂直方向に低い位置まで開口し、前記下辺には水路となる管があり、管の片方は排水可能手段に接続した請求項１記載の電気集塵装置。
【発明の詳細な説明】
【技術分野】
【０００１】
本発明は、汚染された空気を浄化する際に使用される電気集塵装置で特に水洗浄後の乾燥をより早急に完了させるものに関するものである。
【背景技術】
【０００２】
従来、この種の電気集塵装置は、集塵した極板の洗浄後の乾燥時間を早める技術が知られている（例えば、特許文献１参照）。
【０００３】
図８は、前記特許文献１に記載された従来の電気集塵装置を示すものである。図７において、箱体１０１の内部で第一の極板１０２と第二の極板１０３が一定の間隔を空けて積層されており、これら第一の極板１０２と第二の極板１０３が乾燥時に水平にされた下側外面に対して傾斜した状態で固定されており、洗浄後の液滴を落下させて極板に残留するのを防ぎ、極板の乾燥時間を早める構成をしていた。
【先行技術文献】
【特許文献】
【０００４】
【特許文献１】特開平１１−２４４７３１号公報
【特許文献２】特開平１０−３０９４９１号公報
【発明の概要】
【発明が解決しようとする課題】
【０００５】
このような、洗浄後の極板部を乾燥する時間を短縮させる電気集塵装置は、極板部以外の部分の乾燥に関しては未解決であり、充電部と接地部が乾燥不足のために導通してしまうことがあった。この乾燥時間中は充電部に電圧がかけられず、集塵ができないため、乾燥時間を短くすることが要望されていた。特に、風路から外して配置して充電部を支持し、充電部を接地部から隔離する絶縁体などが洗浄で濡れてしまうと、乾燥にはさらに長い時間が必要になってしまっていた。
【０００６】
本発明は、上記従来の課題を解決するものであり、風路から外れた箇所に存在し、特に充電するのに乾燥が必要な前記絶縁体の乾燥時間を極めて短くする電気集塵装置を提供することを目的とする。
【課題を解決するための手段】
【０００７】
そして、この目的を達成するために、本発明は、箱状の本体と、この本体の対向する側面の組２つをそれぞれ第一側面組と第二側面組とし、前記第一側面組の側面にそれぞれ設けた開口と、前記開口にそれぞれ接続するダクトから構成され、前記本体の内部には、水平方向に空気が通過する風路の上流側から下流側へと帯電部と集塵部とを順番に配置し、前記帯電部は、放電電極と接地電極が交互に一定の間隔を設けて積層され、それぞれ上下複数点を支持棒で支えられており、前記放電電極の支持棒を前記接地電極と導通しないように前記風路から前記第二側面組の側面側に外れた箇所で絶縁物体により支持し、前記集塵部は、荷電極板と集塵電極板が交互に一定の間隔を設けて積層され、それぞれ上下複数点を支持棒で支えられており、前記荷電極板の支持棒を前記集塵電極板と導通しないように前記風路から前記第二側面組の側面側に外れた箇所で絶縁体により支持し、前記本体の内部上方には前記帯電部と前記集塵部を洗浄する洗浄手段を配置し、本体の内部下方には前記洗浄手段からの廃液を処理する排水手段を配置した電気集塵装置であり、前記本体の前記第二側面組の側面にはそれぞれ前記絶縁体に対向する位置に前記絶縁体よりも大きな開口を有する窓を設け、前記窓よりも大きな平板でこの窓に蓋ができるようにし、前記窓
の上下にはレールをつけ前記平板を可動式として前記窓の開閉が可能とする構成を備えたものであり、これにより所期の目的を達成するものである。
【発明の効果】
【０００８】
本発明によれば、箱状の本体と、この本体の対向する側面の組２つをそれぞれ第一側面組と第二側面組とし、前記第一側面組の側面にそれぞれ設けた開口と、前記開口にそれぞれ接続するダクトから構成され、前記本体の内部には、水平方向に空気が通過する風路の上流側から下流側へと帯電部と集塵部とを順番に配置し、前記帯電部は、放電電極と接地電極が交互に一定の間隔を設けて積層され、それぞれ上下複数点を支持棒で支えられており、前記放電電極の支持棒を前記接地電極と導通しないように前記風路から前記第二側面組の側面側に外れた箇所で絶縁物体により支持し、前記集塵部は、荷電極板と集塵電極板が交互に一定の間隔を設けて積層され、それぞれ上下複数点を支持棒で支えられており、前記荷電極板の支持棒を前記集塵電極板と導通しないように前記風路から前記第二側面組の側面側に外れた箇所で絶縁体により支持し、前記本体の内部上方には前記帯電部と前記集塵部を洗浄する洗浄手段を配置し、本体の内部下方には前記洗浄手段からの廃液を処理する排水手段を配置した電気集塵装置であり、前記本体の前記第二側面組の側面にはそれぞれ前記絶縁体に対向する位置に前記絶縁体よりも大きな開口を有する窓を設け、前記窓よりも大きな平板でこの窓に蓋ができるようにし、前記窓の上下にはレールをつけ前記平板を可動式として前記窓の開閉が可能とする構成を備えたので、集塵時は前記窓を閉じた状態にすることで前記帯電部と前記集塵部には直線状に通過する風が流れて行き、乾燥時は前記窓を開けた状態にすることで、乾燥風は上流から下流へ向けて直線状に通過する風に加え、前記風路から外れた箇所にある前記絶縁体を通り抜ける風が生じる。この乾燥風の通過により前記風路から外れた箇所にある前記絶縁体も乾燥が即座に行われる。つまり、前記帯電部や前記集塵部の極板のみならず、前記絶縁体など充電に必要な部分の乾燥が急速で完了することで、乾燥時間が著しく短くなり、すぐに集塵が再開できるという効果を奏する。
【図面の簡単な説明】
【０００９】
【図１】本発明に関する一般的な電気集塵装置の概略図
【図２】本発明に関する一般的な帯電部と集塵部の構成図
【図３】本発明の実施の形態１で送風機が上流にある場合の特徴部分の構成図（（ａ）本体の第二側面組を透視した図、（ｂ）帯電部の絶縁体窓を示す図、（ｃ）集塵部の絶縁体窓を示す図）
【図４】本発明の実施の形態１で送風機が上流にある場合の電気集塵装置の風路図（（ａ）集塵時に窓が閉じた状態を示す図（ｂ）帯電部の絶縁体窓と集塵部の絶縁体窓を開けた状態としたときの図）
【図５】本発明の実施の形態１で送風機が上流にある場合の特徴部分の構成図（（ａ）本体の第二側面組を透視した図、（ｂ）帯電部の絶縁体窓を示す図、（ｃ）集塵部の絶縁体窓を示す図）
【図６】本発明の実施の形態１で送風機が下流にある場合の電気集塵装置の風路図（（ａ）窓が閉じた状態を示す図、（ｂ）帯電部の絶縁体窓と集塵部の絶縁体窓を開けた状態を示す図）
【図７】本発明の実施の形態２の特徴部分の構成図
【図８】従来の電気集塵装置の特徴部分の構成図
【発明を実施するための形態】
【００１０】
本発明の請求項１記載の電気集塵装置は、箱状の本体と、この本体の対向する側面の組２つをそれぞれ第一側面組と第二側面組とし、前記第一側面組の側面にそれぞれ設けた開口と、前記開口にそれぞれ接続するダクトから構成され、前記本体の内部には、水平方向に空気が通過する風路の上流側から下流側へと帯電部と集塵部とを順番に配置し、前記帯
電部は、放電電極と接地電極が交互に一定の間隔を設けて積層され、それぞれ上下複数点を支持棒で支えられており、前記放電電極の支持棒を前記接地電極と導通しないように前記風路から前記第二側面組の側面側に外れた箇所で絶縁物体により支持し、前記集塵部は、荷電極板と集塵電極板が交互に一定の間隔を設けて積層され、それぞれ上下複数点を支持棒で支えられており、前記荷電極板の支持棒を前記集塵電極板と導通しないように前記風路から前記第二側面組の側面側に外れた箇所で絶縁体により支持し、前記本体の内部上方には前記帯電部と前記集塵部を洗浄する洗浄手段を配置し、本体の内部下方には前記洗浄手段からの廃液を処理する排水手段を配置した電気集塵装置であり、前記本体の前記第二側面組の側面にはそれぞれ前記絶縁体に対向する位置に前記絶縁体よりも大きな開口を有する窓を設け、前記窓よりも大きな平板でこの窓に蓋ができるようにし、前記窓の上下にはレールをつけ前記平板を可動式として前記窓の開閉が可能とする構成を有する。
【００１１】
これにより、集塵時は前記窓を閉じた状態にすることで前記帯電部と前記集塵部には直線状に通過する風が流れて行き、乾燥時は前記窓を開けた状態にすることで、上流から下流へ向けて直線状に通過する風に加え、前記風路から外れた箇所にある前記絶縁体を通り抜ける風が生じる。この乾燥風の通過により前記風路から外れた箇所にある前記絶縁体も乾燥が即座に行われる。つまり、前記帯電部や前記集塵部の極板のみならず、前記絶縁体など充電に必要な部分の乾燥が急速で完了することで、乾燥時間が著しく短くなり、すぐに集塵が再開できるという効果を奏する。
【００１２】
また、本発明の請求項２記載の電気集塵装置は、前記下方の支持棒を支える絶縁体に対向する窓は下辺が少なくとも前記ダクトの底面よりも垂直方向に低い位置まで開口し、前記下辺には水路となる管があり、管の片方は排水可能手段に接続した構成を有する。
【００１３】
これにより、一般的に通常洗浄時に前記排水手段に詰まりなどの問題が発生した場合、前記洗浄手段からの洗浄水供給量が前記排水手段からの廃水放出量を上回り、廃水が前記本体内に貯水されていく。そして、水位が上昇して充電部に達すると、漏電が生じる恐れがある。また廃水に浸漬した極板は極度に汚染される。本実施の形態の電気集塵装置は、前記排水手段問題が発生し、前記本体内の残留水位が高くなったとしても、前記下方にある窓からの排水がされて、水位は、前記下方にある窓以上の高さにはならず、前記ダクト内部にまで漏水が広がることがなくなる効果を奏する。
【００１４】
以下、本発明の実施の形態について図面を参照しながら説明する。
【００１５】
（実施の形態１）
図１に示すように、電気集塵装置１は、箱状の本体２と、本体２が有する対向する側面の２つの組をそれぞれ第一側面組３と第二側面組４とし、第一側面組３の側面のそれぞれに設けた開口５と、開口５にそれぞれ接続するダクト６から構成されている。
【００１６】
本体２の内部には、放電電極７と接地電極８を一定の間隔を設けて交互に配列して構成する帯電部９と、荷電極板１０と集塵電極板１１を一定の間隔を設けて交互に配列して構成する集塵部１２とを備えている。そして、帯電部９と集塵部１２は、水平方向に空気が通過する風路１２ａの上流側から下流側へと順番に、かつ帯電部９と集塵部１２は端部がそれぞれ開口５に対向するように配置している。
【００１７】
また、本体２の内部上方には、帯電部９と集塵部１２を洗浄する洗浄手段１３が設けられている。洗浄手段１３は、配管１４に取り付けられた複数の洗浄ノズル１５からなり、配管１４は、帯電部９または集塵部１２を風向きに対しダクト６を横断するように数本設置されている。洗浄手段１３は、洗浄ノズル１５から洗浄水を噴霧することで洗浄を行うものである。
【００１８】
帯電部９および集塵部１２の下方には、１つ以上の穴を排水手段１６として設けている。この排水手段１６は、洗浄手段１３からの廃水を本体２外の排水口設備へと誘導するものである。
【００１９】
また、本体２のダクト６の内部には、帯電部９および集塵部１２から距離をとってフィルタ１７を配置している。フィルタ１７は、デミスタフィルタであって、細い金属線（好ましくはアルミ）をメリヤス状に編みこんだものを複数枚重ねて、縁周りを枠体で挟みこんだものである。すなわち、フィルタ１７は目が粗く大きな粒子径のものは捕集するが、小さな粒子径のものは通過するものである。上流に配置したフィルタ１７では、放電電極７と接地電極８間や荷電極板１０と集塵電極板１１間を短絡させるものが上流側から本体２に流入するのを防ぎ、下流に配置したフィルタ１７では、万が一、放電電極７と接地電極８間や荷電極板１０と集塵電極板１１間などでスパーク、発火した際にも燃焼物がフィルタ１７より下流に流出するのを防ぐ。
【００２０】
以下、図２において帯電部および集塵部の詳細を述べる。
【００２１】
帯電部９は、放電電極７と接地電極８の１組がフレーム１８内部で一定の絶縁距離を設けて交互に積層されている。フレーム１８は風路１２ａの外側に有り、積層した放電電極７と接地電極８は風路１２ａの中にある。積層した形状を維持するために、放電電極７は上下複数箇所を放電電極の支持棒１９で固定されている。同様に、接地電極８も上下複数箇所を接地電極の支持棒２０で固定されている。
【００２２】
放電電極の支持棒１９は、接地電極８および接地電極の支持棒２０およびフレーム１８とは導通しないように絶縁のための空間的な距離を各々設けている。すなわち、放電電極の支持棒１９を接地電極８と導通しないように、風路１２ａから第二側面組４の側面側に外れた箇所で帯電部の絶縁体２３により支持している。特に、放電電極７の上方を支える放電電極の支持棒１９とフレーム１８の間の絶縁は第一空間２１とする。
【００２３】
また、放電電極の支持棒１９は、フレーム１８の外側で帯電部保持具２２および帯電部の絶縁体２３によって接地されることなく保持されている構造を有する。
【００２４】
集塵部１２も帯電部９と同様にして、荷電極板１０と集塵電極板１１が両端にあるフレーム１８内部で交互に一定の絶縁距離を設けて交互に積層されている。フレーム１８は風路１２ａの外側に有り、積層した荷電極板１０と集塵電極板１１は風路１２ａの中にある。荷電極板１０は上下複箇所を荷電極板の支持棒２４で固定されている。同様に、集塵電極板１１も上下複数箇所を集塵電極板の支持棒２５で固定されている。
【００２５】
荷電極板の支持棒２４は、集塵電極板１１および集塵電極板の支持棒２５およびフレーム１８とは導通しないように絶縁のための空間的な距離を各々設けている。すなわち、荷電極板の支持棒２４を集塵電極板１１と導通しないように、風路１２ａから第二側面組４の側面側に外れた箇所で集塵部の絶縁体２８により支持している。特に、荷電極板１０の上方を支える荷電極板の支持棒２４とフレーム１８の間の絶縁は第二空間２６とする。また、荷電極板の支持棒２４は、フレーム１８の外側で集塵部保持具２７および集塵部の絶縁体２８によって接地されることなく保持されている構造を有する。
【００２６】
放電電極７、接地電極８、荷電極板１０、集塵電極板１１、フレーム１８、放電電極の支持棒１９、接地電極の支持棒２０、荷電極板の支持棒２４、集塵電極板の支持棒２５、帯電部保持具２２、集塵部保持具２７は、導電性の金属、好ましくはＳＵＳからなる。帯電部の絶縁体２３と集塵部の絶縁体２８は主に碍子を用いる。
【００２７】
上記構成において、電気集塵時には、帯電部９および集塵部１２に電圧を印加し、送風機（図示せず）により上流から汚染空気をダクト６から本体２に流入させる。流入した汚染空気の粒子は帯電部９の放電電極７からのコロナ放電により電荷を帯びる。その後電荷を帯びた粒子は、集塵部１２の荷電極板１０と集塵電極板１１との間の電界空間を極板方向に移動し、集塵電極板１１に付着する。このようにして、粒子が集塵電極板１１に付着することで汚染空気は清浄され浄化された空気は下流側のダクト６から排出される。
【００２８】
集塵を行っている間、洗浄手段１３からの洗浄水の噴射は停止しており、排水手段１６は電磁弁などで閉じられている。
【００２９】
一方、集塵電極板１１上に捕集し堆積した粒子を洗浄する際は、まず、帯電部９と集塵部１２への電圧印加と送風を止め、洗浄手段１３から洗浄水を集塵電極板１１上に散布し、堆積した粒子汚れを落とす。このとき排水手段１６の電磁弁を開けることで廃水は本体２の外に排水される。同様の洗浄方法で、放電電極７と接地電極８および荷電極板１０の洗浄も可能である。その後、洗浄手段１３からの洗浄水を停止し、排水手段１６を閉じ、再び送風機から送風することで、極板に付着した水滴を除去し、極板を乾燥させることができるので、再び集塵できるようになる。
【００３０】
一般に放電電極７に粒子汚れが堆積すると堆積物が抵抗となってコロナ放電が微弱化する。また、荷電極板１０と集塵電極板１１の極板間に粒子汚れが堆積すると捕集した粒子が再飛散をして見かけ上の捕集性能が低下してしまう。そこで極板の洗浄を行うことで捕集性能低下を防ぐことができる。
【００３１】
しかし、乾燥の際に乾燥時間が足らずに不十分な場合は、放電電極７、放電電極の支持棒１９、荷電極板１０、荷電極板の支持棒２４など電圧印加部分と接地部分が導通して過大な電流が流れてしまうため、電気集塵が行えなくなる。また、風路１２ａから第二側面組４の側面側に外れた箇所にある帯電部の絶縁体２３と集塵部の絶縁体２８は、それぞれ洗浄時に第一空間２１、第二空間２６から流入した洗浄水で濡れてしまうことがある。乾かなかった場合には過大な電流が流れてしまうため、電気集塵できなくなる。風路１２ａから外れている帯電部の絶縁体２３と集塵部の絶縁体２８には乾燥風が届かないため、乾燥には多大な時間を有してしまう（例えば、極板部分の乾燥に必要な時間は３０分未満であったのに対し、風路１２ａから外れた部分の乾燥は１時間以上必要であった）。乾燥中は集塵ができないため極力乾燥時間を減らすことで効率よく集塵サイクルが行える。また帯電部の絶縁体２３と集塵部の絶縁体２８は長期期間使用していると表面で汚れが膜状になり、絶縁性が失われてしまうため清掃や取替えなどのメンナンスも必要になってくる。
【００３２】
そこで、本実施の形態では、特に、洗浄および乾燥時に開口させることのできる帯電部の絶縁体窓２９と集塵部の絶縁体窓３０を設けている。
【００３３】
以下、その構成を説明する。
【００３４】
図３（ａ）は、本体２を第二側面組４の片側から見て、本体２の第二側面組４を透視した図である。第二側面組４の片側から見て帯電部の絶縁体２３や集塵部の絶縁体２８が側面から見てとれる。
【００３５】
まず、図３に示す送風機が上流に設けた場合の実施の形態を説明する。
【００３６】
図３（ｂ）に示すように、第二側面組４の側面には、帯電部の絶縁体２３近傍、すなわち第二側面組４の側面にはそれぞれ帯電部の絶縁体２３に対向する位置に帯電部の絶縁体
２３よりも大きな開口を有する帯電部の絶縁体窓２９を設け、洗浄および乾燥時に開口できるようにしている。帯電部の絶縁体窓２９は、帯電部の絶縁体２３を中心として帯電部の絶縁体２３よりも一回り大きな窓を設ける。
【００３７】
同じく図３（ｃ）は、集塵部の絶縁体２８近傍、すなわち第二側面組４の側面にはそれぞれ集塵部の絶縁体２８に対向する位置に集塵部の絶縁体２８よりも大きな開口を有する集塵部の絶縁体窓３０を設け、洗浄および乾燥時に開口できるようにしている。集塵部の絶縁体窓３０は、集塵部の絶縁体２８の中心位置よりも下流側の位置を中心として集塵部の絶縁体２８を含む領域の大きさの窓とした。
【００３８】
また帯電部の絶縁体窓２９と集塵部の絶縁体窓３０は、それぞれ帯電部の絶縁体窓２９と集塵部の絶縁体窓３０よりも大きな平板３１で窓に蓋ができるようにし、窓の上下にはレール３２をつけ平板３１を可動式とするような構造にしておく。
【００３９】
こうすることで集塵時は電動もしくは手動で平板３１が帯電部の絶縁体窓２９と集塵部の絶縁体窓３０を塞ぎ、洗浄と乾燥時のみ開口できるようにする。
【００４０】
このような構成とすることで、集塵時は、図４（ａ）のように窓が閉じた状態にすると、帯電部９と集塵部１２を直線状に通過する風Ｘが流れて行く。一方、乾燥時は図４（ｂ）のように、帯電部の絶縁体窓２９と集塵部の絶縁体窓３０を開けた状態とすると、上流から流入した乾燥風は直線状に通過する風Ｘに加え、帯電部の第一空間２１を通過した後帯電部の絶縁体２３を通って帯電部の絶縁部窓２９から外に抜ける風Ｙと、集塵部１２の第二空間２６を通過した後集塵部の絶縁体２８を通って集塵部の絶縁体窓から外に抜ける風Ｚの３種類の風の流れが生まれる。すなわち、風路１２ａに沿って直線状に通過する風Ｘと窓を開口したことで風路１２ａからフレーム１８の外側へ外れて帯電部の絶縁部窓２９から外に抜ける風Ｙと集塵部の絶縁体窓３０から外に抜ける風Ｚである。帯電部の絶縁部窓から外に抜ける風Ｙは、帯電部の絶縁体窓２９が帯電部の絶縁体２３とほぼ同じ位置に設けてあるので帯電部の第一空間２１から帯電部の絶縁体窓２９を移動する間に帯電部の絶縁体２３を通過する。集塵部の絶縁体窓から外に抜ける風Ｚは、集塵部の絶縁体窓３０が集塵部の絶縁体２８よりも少し下流側に窓の中心があるので集塵部の第二空間２６から集塵部の絶縁体窓３０へ移動する際に集塵部の絶縁体２８を効果的に通過する。このため、帯電部９や集塵部１２の極板のみならず、集塵部の絶縁体２８の表面も送風乾燥を行うことができ、乾燥時間が著しく短くなる（例えば１時間以上かかっていた乾燥時間が窓を開口することで３０分に乾燥時間を短縮することが可能になった）。
【００４１】
帯電部の絶縁体窓２９と集塵部の絶縁体窓３０は、帯電部の絶縁体２３と集塵部の絶縁体２８をそれぞれの領域を含む大きさの窓としたので、長期連続使用による帯電部の絶縁体２３と集塵部の絶縁体２８のメンテナンスの際には帯電部の絶縁体窓２９と集塵部の絶縁体窓３０から清掃や取替えが直接行うことが可能であり、帯電部９や集塵部１２を箱状の本体２から取り出すなどの工程をとらずに済み、メンテナンス性が向上する。
【００４２】
次に、図５に示す送風機を下流に設けた場合の実施の形態を説明する。
【００４３】
本実施の形態は、前述の送風機が上流に設けられた場合に対して、帯電部の絶縁体窓２９と集塵部の絶縁体窓３０の形状が異なる。
【００４４】
図５（ａ）は、本体２を第二側面組４の片側から見て、本体２の第二側面組４を透視した図である。第二側面組４の片側から見て帯電部の絶縁体２３や集塵部の絶縁体２８が側面から見てとれる。図５（ｂ）に示すように、帯電部の絶縁体２３近傍、すなわち第二側面組４の側面にはそれぞれ帯電部の絶縁体２３に対向する位置に帯電部の絶縁体２３より
も大きな開口を設け、洗浄および乾燥時に開口できるようにしている。帯電部の絶縁体窓２９は、帯電部の絶縁体２３の中心位置よりも上流側の位置を中心として帯電部の絶縁体２３を含む領域の大きさの窓を設ける。
【００４５】
同じく図５（ｃ）に示すように、集塵部の絶縁体２８近傍、すなわち第二側面組４の側面にはそれぞれ集塵部の絶縁体２８に対向する位置に集塵部の絶縁体２８よりも大きな開口を有する集塵部の絶縁体窓３０を設け、洗浄および乾燥時に開口できるようにしている。集塵部の絶縁体窓３０は、集塵部の絶縁体２８を中心として集塵部の絶縁体２８よりも一回り大きな窓を設ける。また、集塵部の絶縁体２８を中心として集塵部の絶縁体２８よりも一回り大きな窓とした。
【００４６】
また帯電部の絶縁体窓２９と集塵部の絶縁体窓３０は、それぞれ帯電部の絶縁体２３と集塵部の絶縁体２８よりも大きな平板３１で窓に蓋ができるようにし、窓の上下にはレール３２をつけ平板３１を可動式とするような構造にしておく。こうすることで集塵時は電動もしくは手動で平板３１が帯電部の絶縁体窓２９と集塵部の絶縁体窓３０を塞ぎ、洗浄と乾燥時のみ開口できるようにする。
【００４７】
したがって送風機が下流に設けてある場合でも集塵時は、図６（ａ）のように、窓が閉じた状態では風路１２ａにある帯電部９と集塵部１２を直線状に通過する風Ｘが流れて行く。一方、乾燥時は図６（ｂ）のように、帯電部の絶縁体窓２９と集塵部の絶縁体窓３０を開けた状態とする。このようにすると、風路１２ａの上流から流入する乾燥風は直線状に通過する風Ｘに加え、帯電部の絶縁体窓２９から風路１２ａの外側にある帯電部の絶縁体２３を通って帯電部の第一空間２１に流入する風Ｙ”と、集塵部の絶縁体窓３０から風路１２ａの外側にある集塵部の絶縁体２８を通って集塵部１２の第二空間２６に流入する風Ｚ”の３種類の風の流れが生まれる。すなわち、これらは、窓を開口したことで帯電部の絶縁部窓２９を通過してフレーム１８の外側から風路１２ａに流入する風と集塵部の絶縁体窓３０を通過してフレーム１８の外側から風路１２ａに流入する風である。また帯電部の第一空間に流入する風Ｙ”は、帯電部の絶縁体窓２９が帯電部の絶縁体２３よりも少し上流側に窓の中心があるので帯電部の絶縁体窓２９から帯電部の絶縁体窓２９へ移動する際に帯電部の絶縁体２３を効果的に通過する。集塵部１２の第二空間２６に流入する風Ｚ”は、集塵部の絶縁体窓３０が集塵部の絶縁体２８とほぼ同じ位置に設けてあるので集塵部の絶縁体窓３０から集塵部１２の第二空間２６を移動する間に集塵部の絶縁体２８を通過する。このため、帯電部９や集塵部１２の極板のみならず、集塵部の絶縁体２８の表面も送風乾燥を行うことができ、乾燥時間が著しく短くなる。
【００４８】
（実施の形態２）
本体２の第一側面組３にある開口５を介してのダクト６との接続において、ダクト６の底面は本体２の底面よりも高い位置にあった方が望ましい。
【００４９】
図７に記載したものは、本体２の第二側面組４の側面に設けた帯電部の絶縁体窓２９および集塵部の絶縁体窓３０に対し、下方にある窓３３は底辺が少なくともダクト６の底面よりも垂直方向に低い位置、望ましくは極板の底辺まで開口しており、下方にある窓３３の底辺に水路となる管３４を設け、この管３４の一端を排水可能手段３５に接続しておくことを特徴とする電気集塵装置である。排水可能手段３５は、Ｌ字の配管パイプのような簡易なもので良く、配管パイプの片方を管３４に接続し、管３４から流れてくる廃水をもう片側から本体２外の排水口設備（図示せず）へと誘導する構造を有する。
【００５０】
一般的に、通常洗浄時に排水手段１６に詰まりなどの問題が発生した場合には、洗浄手段１３からの洗浄水供給量が排水手段１６からの廃水放出量を上回り、廃水が本体２内に貯水されていく。
【００５１】
そして、水位が上昇して充電部に達すると、漏電が生じる恐れがある。また廃水に浸漬した極板は極度に汚染される。本実施の形態の電気集塵装置は、排水手段１６に問題が発生し、本体２内の残留水位が高くなったとしても、帯電部の絶縁体窓２９や集塵部の絶縁体窓３０からの排水がされて、水位は、窓以上の高さにはならず、ダクト６内部にまで漏水が広がることがなくなる。
【産業上の利用可能性】
【００５２】
本発明では、本体の第二側面組に絶縁体よりも大きな窓を設け、窓よりも大きな平板でこの窓に蓋ができるようにし、窓の上下にはレールをつけ平板を可動式として窓の開閉が可能としたものであり、乾燥時に窓が開口されることで、乾燥風が通常の風路外にも流入し、充電部の乾燥をさせるため乾燥時間を短縮させるものとして有用である。
【符号の説明】
【００５３】
１  電気集塵装置
２  本体
３  第一側面組
４  第二側面組
５  開口
６  ダクト
７  放電電極
８  接地電極
９  帯電部
１０  荷電極板
１１  集塵電極板
１２  集塵部
１２ａ  風路
１３  洗浄手段
１４  配管
１５  洗浄ノズル
１６  排水手段
１７  フィルタ
１８  フレーム
１９  放電電極の支持棒
２０  接地電極の支持棒
２１  第一空間
２２  帯電部保持具
２３  帯電部の絶縁体
２４  荷電極板の支持棒
２５  集塵電極板の支持棒
２６  第二空間
２７  集塵部保持具
２８  集塵部の絶縁体
２９  帯電部の絶縁体窓
３０  集塵部の絶縁体窓
３１  平板
３２  レール
３３  下方にある窓
３４  管
３５  排水可能手段
Ｘ  直線状に通過する風
Ｙ  帯電部の絶縁部窓から外に抜ける風
Ｚ  集塵部の絶縁体窓から外に抜ける風
Ｙ”  帯電部の第一空間に流入する風
Ｚ”  集塵部の第二空間に流入する風
１０１  箱体
１０２  第一の極板
１０３  第二の極板
【図１】
2016155056.tif 000003
【図２】
2016155056.tif 000004
【図３】
2016155056.tif 000005
【図４】
2016155056.tif 000006
【図５】
2016155056.tif 000007
【図６】
2016155056.tif 000008
【図７】
2016155056.tif 000009
【図８】
2016155056.tif 000010